(57)【要約】【課題】  送りコードを切断することなく、簡単に床暖房パネル本体を取り換えることができる床暖房パネル構造を提供することにある。【解決手段】  床暖房パネル本体（１）の裏面側端部に配線部分（２）を設けるとともに、この配線部分（２）を挟んで同床暖房パネル本体（１）の裏面側に同床暖房パネル本体（１）の表面直下まで至るように内方側へ窪ませた切溝（３）を形成し、同床暖房パネル本体（１）を交換する際には、この切溝（３）にて同床暖房パネル本体（１）の表面側から切断して、上記配線部分（２）における同床暖房パネル本体（１）を切り離して、同床暖房パネル本体（１）の両隣間をそれぞれ切断して同床暖房パネル本体（１）を取り外すようになした。【選択図】  図１
2005127528.tif 000002
【特許請求の範囲】
【請求項１】
床暖房パネル本体の裏面側端部に配線部分を設けるとともに、この配線部分を挟んで同床暖房パネル本体の裏面側に同床暖房パネル本体の表面直下まで至るように内方側へ窪ませた切溝を形成し、同床暖房パネル本体を交換する際には、この切溝にて同床暖房パネル本体の表面側から切断して、上記配線部分における同床暖房パネル本体を切り離して、同床暖房パネル本体の両隣間をそれぞれ切断して同床暖房パネル本体を取り外すようになしたことを特徴とする床暖房パネル構造。
【請求項２】
上記切溝が、上記配線部分の周囲に形成されていることを特徴とする請求項１記載の床暖房パネル構造。
【請求項３】
上記切溝どうしの間に位置している上記床暖房パネル本体端部の雄実が切り欠かれていることを特徴とする請求項２記載の床暖房パネル構造。
【請求項４】
上記切溝および上記配線部分を少なくとも覆うように裏面紙が上記床暖房パネル本体に貼り付けられていることを特徴とする請求項１ないし請求項３いずれか記載の床暖房パネル構造。
【発明の詳細な説明】
【技術分野】
【０００１】
本発明は、床暖房パネル構造に関するものであり、具体的には、住宅などの建物内で床部に暖房を施すのに有用な床暖房パネル構造に関するものである。
【背景技術】
【０００２】
従来の床暖房パネル構造としては、例えば、図６および図７に示すごとく、床暖房パネル本体（１）の中央部分にヒーター（８）を配設するとともに、同床暖房パネル本体（１）の裏面側端部に配線溝（１０）を設けて、この配線溝（１０）の中央部にコネクタ（６）が設けられていたものであり、この床暖房パネル本体（１）を複数枚隣接させて雄実（４）を介して連結並設させたときに、上記コネクタ（６）どうしが送りコード（７）にて繋がれて電気的に接続させていたものが知られていた。
【特許文献１】特開２００２−３９５５９号公報
【発明の開示】
【発明が解決しようとする課題】
【０００３】
しかしながら、このような床暖房パネル構造においては、コネクタ（６）どうしが送りコード（７）にて電気的に接続されていたために、床暖房パネル本体（１）の中央部分に配設されたヒーター（８）にて床暖房を充分に行うことができるものの、同床暖房パネル本体（１）の故障などで同床暖房パネル本体（１）の１枚のみを交換したい場合、雄実（４）を図７に示すごときカッター（１１）などで切り落とすと、送りコード（７）を傷付けてしまったり、切断したりする可能性があり、現場での修復としては面倒なものであった。
【０００４】
なお、床暖房パネル本体（１）を取り換えることなく、現場での修復を行うことができるものとしては、上記特許文献１に挙げられた特開２００２−３９５５９号公報のようなものが知られていたが、床暖房パネル本体（１）を取り換える場合であっても、簡単に取り換えられるものが望まれていたものであった。
【０００５】
本発明は、上述の事実に鑑みてなされたものであって、その目的とするところは、送りコードを切断することなく、簡単に床暖房パネル本体を取り換えることができる床暖房パネル構造を提供することにある。
【課題を解決するための手段】
【０００６】
上記課題を解決するために、本発明においてはつぎのような技術的手段を講じている。すなわち、本発明の請求項１に係る床暖房パネル構造は、床暖房パネル本体（１）の裏面側端部に配線部分（２）を設けるとともに、この配線部分（２）を挟んで同床暖房パネル本体（１）の裏面側に同床暖房パネル本体（１）の表面直下まで至るように内方側へ窪ませた切溝（３）を形成し、同床暖房パネル本体（１）を交換する際には、この切溝（３）にて同床暖房パネル本体（１）の表面側から切断して、上記配線部分（２）における同床暖房パネル本体（１）を切り離して、同床暖房パネル本体（１）の両隣間をそれぞれ切断して同床暖房パネル本体（１）を取り外すようになしたことを特徴としている。
【０００７】
また、本発明の請求項２に係る床暖房パネル構造は、上記切溝（３）が、上記配線部分（２）の周囲に形成されていることを特徴としている。
【０００８】
さらに、本発明の請求項３に係る床暖房パネル構造は、上記切溝（３）どうしの間に位置している上記床暖房パネル本体（１）端部の雄実（４）が切り欠かれていることを特徴としている。
【０００９】
また、本発明の請求項４に係る床暖房パネル構造は、上記切溝（３）および上記配線部分（２）を少なくとも覆うように裏面紙（５）が上記床暖房パネル本体（１）に貼り付けられていることを特徴としている。
【発明の効果】
【００１０】
本発明の床暖房パネル構造によると、床暖房パネル本体（１）を交換する際には、配線部分（２）を挟んで床暖房パネル本体（１）の裏面側に同床暖房パネル本体（１）の表面直下まで至るように内方側へ窪ませた切溝（３）があるので、この切溝（３）に沿って切断していくだけで、送りコード（７）の周辺を切ったり傷つけたりすることなく、配線部分（２）の床暖房パネル本体（１）のみが切り取られて、同切溝（３）が存在している分だけ、床暖房パネル本体（１）の切断する厚みが薄くてすみ、カッター（１１）などにより簡単に切断されるものとなる。そして、送りコード（７）を同切り取られた床暖房パネル本体（１）のコネクタ（６）から外して、その後、交換したい床暖房パネル本体（１）の残りの部分については、同床暖房パネル本体（１）の両隣間をそれぞれ切断したりして取り外しを完結するものであり、結果として、床暖房パネル本体（１）を簡単に取り外し取り換えることができるものである。
【００１１】
このようなことから、本発明は、送りコード（７）を切断することなく、簡単に床暖房パネル本体（１）を取り換えることができるものである。
【発明を実施するための最良の形態】
【００１２】
以下、この発明を実施するための最良の形態について、図面を参照しながら詳細に説明する。
【００１３】
図１は、本発明の一実施形態に係る床暖房パネル構造を示した平面図である。図２は、本発明の床暖房パネル構造に用いられる一実施形態に係る床暖房パネル本体を示した平面図である。図３は、図２の床暖房パネル本体を示した断面図である。図４は、本発明の一実施形態に係る床暖房パネル構造において、床暖房パネル本体を取り換える前の様子を示した平面図である。図５は、本発明の一実施形態に係る床暖房パネル構造において、床暖房パネル本体を取り換える際の様子を示した平面図である。
【００１４】
本発明の床暖房パネル構造は、図１ないし図５に示すごとく、床暖房パネル本体（１）の裏面側端部に配線部分（２）を設けるとともに、この配線部分（２）を挟んで同床暖房パネル本体（１）の裏面側に同床暖房パネル本体（１）の表面直下まで至るように内方側へ窪ませた切溝（３）を形成し、同床暖房パネル本体（１）を交換する際には、この切溝（３）にて同床暖房パネル本体（１）の表面側から切断して、上記配線部分（２）における同床暖房パネル本体（１）を切り離して、同床暖房パネル本体（１）の両隣間をそれぞれ切断して同床暖房パネル本体（１）を取り外すようになしているものである。
【００１５】
上記床暖房パネル本体（１）は、表面を化粧する表面材などと一体型である、いわゆる、木質一体型のものなど、様々なものを採用することができるものである。例えば、この床暖房パネル本体（１）としては、周囲に合板枠を設けており、基材にロックウールなどの断熱材を取り付けているようなものなどが挙げられるものである。この床暖房パネル本体（１）としては、例えば、大引の上に敷設された根太どうしの間に施工されるものであり、敷設される枚数や同床暖房パネル本体（１）のサイズや形状などは一切制限されるものではなく、必要に応じて、複数枚並設されているものである。
【００１６】
上記床暖房パネル本体（１）の端部には、雄実（４）が形成されているものである。そして、図１および図４に示すごとく、同床暖房パネル本体（１）としては、この雄実（４）を介して複数枚隣接させて連結並設させるものである。
【００１７】
上記配線部分（２）は、図１ないし図５に示すごとく、上記床暖房パネル本体（１）の裏面側端部に設けられているものである。この配線部分（２）の中央部分には、コネクタ（６）が設けられているものであり、上述したようにこの床暖房パネル本体（１）を複数枚隣接させて雄実（４）を介して連結並設させたときに、同コネクタ（６）どうしが送りコード（７）にて繋がれて電気的に接続されているものである。
【００１８】
そして、上記床暖房パネル本体（１）の中央部分に図１および図２、図４および図５に示すごとく、ヒーター（８）を配設しているものである。上記コネクタ（６）どうしが送りコード（７）にて電気的に接続されているために、このようなヒーター（８）にて床暖房を充分に行うことができるようになっているものである。そして、上記床暖房パネル本体（１）の表面部分下部には、必要に応じて、アルミ箔のような均熱板などを設けられていてもかまわないものである。この均熱板としては、このヒーター（８）からの熱が均等に床暖房パネル本体（１）の表面に伝わるようにすることができる点で好ましいものである。
【００１９】
なお、上記床暖房パネル本体（１）が、敷設施工されている以外の床スペースには、床暖房を行う必要がない床スペースであるために、例えば、必要に応じて通常の床パネルが敷設施工されているものである。また、上記床暖房パネル本体（１）にて床暖房がなされている際に、同床暖房パネル本体（１）の表面温度が適温に保たれるように温度センサーやサーモスタットや過昇温防止装置などが、必要に応じて、同床暖房パネル本体（１）内に取り付けられて備えていてもかまわないものである。
【００２０】
そして、上記床暖房パネル本体（１）が、敷設施工されている以外の床スペースとしても、同床暖房パネル本体（１）の表面と同一の化粧をするような表面材を貼った通常の床パネルであることが同床暖房パネル本体（１）を敷設した部屋などの床全体の意匠の点から好ましいものである。
【００２１】
上記切溝（３）は、図１ないし図５に示すごとく、上記配線部分（２）を挟んで上記床暖房パネル本体（１）の裏面側に配設されているものであり、同床暖房パネル本体（１）の表面直下まで至るように内方側へ窪ませているものである。本発明においては、上記床暖房パネル本体（１）を交換する際には、この切溝（３）にて同床暖房パネル本体（１）の表面側から図１に示すごときカッター（１１）などで切断して、上記配線部分（２）における同床暖房パネル本体（１）を切り離して、同床暖房パネル本体（１）の両隣間をそれぞれ切断して図５に示すごとき一枚のみの同床暖房パネル本体（１）を施工スペース（９）から取り外すようになしているものである。
【００２２】
本発明は、このような構成をとることによって、床暖房パネル本体（１）を交換する際には、配線部分（２）を挟んで床暖房パネル本体（１）の裏面側に同床暖房パネル本体（１）の表面直下まで至るように内方側へ窪ませた切溝（３）があるので、この切溝（３）に沿って切断していくだけで、送りコード（７）の周辺を切ったり傷つけたりすることなく、配線部分（２）の床暖房パネル本体（１）のみが切り取られて、同切溝（３）が存在している分だけ、床暖房パネル本体（１）の切断する厚みが薄くてすみ、カッター（１１）などにより簡単に切断されるものとなる。そして、送りコード（７）を同切り取られた床暖房パネル本体（１）のコネクタ（６）から外して、その後、交換したい床暖房パネル本体（１）の残りの部分については、同床暖房パネル本体（１）の両隣間をそれぞれ切断したりして取り外しを完結するものであり、結果として、床暖房パネル本体（１）を簡単に取り外し取り換えることができるものである。
【００２３】
このようなことから、本発明は、送りコード（７）を切断することなく、簡単に床暖房パネル本体（１）を取り換えることができるものである。
【００２４】
なお、上記切溝（３）にて切断する際に、交換したい床暖房パネル本体（１）のヒーター（８）に直に繋がる配線部分（２）は同床暖房パネル本体（１）自体が故障したために不要となって取り外されるものであるので、その配線部分（２）が上記切溝（３）の切断とともに仮に切断されたとしても、全く支障がないものである。
【００２５】
また、図１および図２、図４および図５に示すごとく、上記切溝（３）が、上記配線部分（２）の周囲に形成されているものであると、この配線部分（２）の周囲に形成されている切溝（３）をカッター（１１）などにより切断することで、送りコード（７）を傷つけたり切断することなく、床暖房パネル本体（１）を簡単、かつ、確実に取り換えることができるものである。
【００２６】
さらに、図２に示すごとく、上記切溝（３）どうしの間に位置している上記床暖房パネル本体（１）端部の雄実（４）が切り欠かれているものであると、送りコード（７）の配置されている周囲の雄実（４）が存在しないことになり、切溝（３）部分のみを切断してより一層簡単に交換したい床暖房パネル本体（１）を取り外すことができるものとなり、結果として、送りコード（７）を確実に切断することなく、より一層簡単に床暖房パネル本体（１）を取り換えることができるものである。
【００２７】
また、図３に示すごとく、上記切溝（３）および上記配線部分（２）を少なくとも覆うように裏面紙（５）が上記床暖房パネル本体（１）に貼り付けられているものであると、床暖房パネル本体（１）を接着剤にて取り付ける際に、このような裏面紙（５）により、同床暖房パネル本体（１）を固定する接着剤が切溝（３）および配線部分（２）の方まで浸透することがないものである。
【図面の簡単な説明】
【００２８】
【図１】本発明の一実施形態に係る床暖房パネル構造を示した平面図である。
【図２】本発明の床暖房パネル構造に用いられる一実施形態に係る床暖房パネル本体を示した平面図である。
【図３】図２の床暖房パネル本体を示した断面図である。
【図４】本発明の一実施形態に係る床暖房パネル構造において、床暖房パネル本体を取り換える前の様子を示した平面図である。
【図５】本発明の一実施形態に係る床暖房パネル構造において、床暖房パネル本体を取り換える際の様子を示した平面図である。
【図６】一従来例に係る床暖房パネル構造に用いられる床暖房パネル本体を示した平面図である。
【図７】一従来例に係る床暖房パネル構造を示した平面図である。
【符号の説明】
【００２９】
１    床暖房パネル本体
２    配線部分
３    切溝
４    雄実
５    裏面紙
【図１】
2005127528.tif 000003
【図２】
2005127528.tif 000004
【図３】
2005127528.tif 000005
【図４】
2005127528.tif 000006
【図５】
2005127528.tif 000007
【図６】
2005127528.tif 000008
【図７】
2005127528.tif 000009